(57)【要約】【課題】従来の操作ボタンによるカメラの操作方法を維持しながら、操作ボタンのみでは指示が困難な動作や処理を容易に実行できる撮影装置を提供する。【解決手段】デジタルカメラ１は、タッチパネル４の操作状態を検出するパネル検出回路３０と、カメラ操作ＳＷ２９と、液晶モニタ１０と、タッチパネル４が液晶モニタ１０上から退避したことを検知した際はカメラ操作ＳＷ２９の状態に応じて撮影動作を実行し、タッチパネル４が液晶モニタ１０上に設置されたことを検知した際はパネル検出回路３０の出力に応じて撮影動作の条件を設定する等の制御を行うシステムコントローラ２１等を備える。【選択図】図１
2007028229.tif 000002
【特許請求の範囲】
【請求項１】
撮影レンズと、
上記撮影レンズの形成した物体像を電気信号に変換する変換回路と、
上記変換回路の出力から画像データを生成する生成回路と、
表示モニタと、
上記表示モニタ上から退避した第１状態と上記表示モニタ上に設置された第２状態とに設定可能なタッチパネルと、
上記タッチパネルの操作状態を検出するパネル操作検出回路と、
操作スイッチと、
上記タッチパネルが第１状態に在ることを検知した際は上記操作スイッチの状態に応じて上記変換回路と上記生成回路を制御して撮影動作を実行し、上記タッチパネルが第２状態に在ることを検知した際は上記パネル操作検出回路の出力に応じて上記撮影動作の条件を設定する制御回路と、
を有することを特徴とする撮影装置。
【請求項２】
撮影レンズと、
上記撮影レンズの形成した物体像を電気信号に変換する変換回路と、
上記変換回路の出力から画像データを生成する生成回路と、
表示モニタと、
タッチパネルの操作状態を検出するパネル操作検出回路と、
操作スイッチと、
上記タッチパネルが上記表示モニタ上から退避した第１状態に在ることを検知した際は上記操作スイッチの状態に応じて上記変換回路と上記生成回路を制御して撮影動作を実行し、上記タッチパネルが上記表示モニタ上に設置された第２状態に在ることを検知した際は上記パネル操作検出回路の出力に応じて上記撮影動作の条件を設定する制御回路と、
を有することを特徴とする撮影装置。
【請求項３】
上記制御回路は、更に、上記タッチパネルが第１状態に在るときは上記生成回路の出力する画像データを上記表示モニタへ表示するライブビュー動作を実行し、上記タッチパネルが第２状態に在るときは上記表示モニタへ撮影動作に関する条件を設定するための設定メニュー画面の表示を行う、
ことを特徴とする請求項1又は２記載の撮影装置。
【請求項４】
撮影レンズと、
上記撮影レンズの形成した物体像を電気信号に変換する変換回路と、
上記変換回路の出力から画像データを生成する生成回路と、
上記画像データを記録する記録部と、
表示モニタと、
上記表示モニタ上から退避した第１状態と上記表示モニタ上に設置された第２状態とに設定可能なタッチパネルと、
上記タッチパネルの操作状態を検出するパネル操作検出回路と、
操作スイッチと、
上記タッチパネルが第１状態に在ることを検知した際は上記操作スイッチの状態に応じて上記記録部に記録された画像データを選択して上記表示モニタへ表示し、上記タッチパネルが第２状態に在ることを検知した際は上記パネル操作検出回路の出力に応じて該選択された画像データを加工する制御回路と、
を有することを特徴とする撮影装置。
【請求項５】
撮影レンズと、
上記撮影レンズの形成した物体像を電気信号に変換する変換回路と、
上記変換回路の出力から画像データを生成する生成回路と、
上記画像データを記録する記録部と、
表示モニタと、
タッチパネルの操作状態を検出するパネル操作検出回路と、
操作スイッチと、
上記タッチパネルが上記表示モニタ上から退避した第１状態に在ることを検知した際は上記操作スイッチの状態に応じて上記記録部に記録された画像データを選択して上記表示モニタへ表示し、上記タッチパネルが上記表示モニタ上に設置された第２状態に在ることを検知した際は上記パネル操作検出回路の出力に応じて該選択された画像データを加工する制御回路と、
を有することを特徴とする撮影装置。
【請求項６】
上記制御回路は、更に、上記タッチパネルが第２状態に在るときは、上記表示モニタに、選択された画像データと画像の加工を指示するためのアイコンとを表示する、
ことを特徴とする請求項４又は５記載の撮影装置。
【請求項７】
タッチパネルの操作状態を検出するパネル操作検出回路と操作スイッチと表示モニタとを備えた撮影装置の動作制御方法であって、
上記タッチパネルが上記表示モニタ上から退避したことを検知した際は上記操作スイッチの状態に応じて撮影動作を実行し、上記タッチパネルが上記表示モニタ上に設置されたことを検知した際は上記パネル操作検出回路の出力に応じて上記撮影動作の条件を設定する、
ことを特徴とする撮影装置の動作制御方法。
【請求項８】
タッチパネルの操作状態を検出するパネル操作検出回路と操作スイッチと表示モニタと記録部とを備えた撮影装置の動作制御方法であって、
上記タッチパネルが上記表示モニタ上から退避したことを検知した際は上記操作スイッチの状態に応じて上記記録部に記録された画像データを選択して上記表示モニタへ表示し、上記タッチパネルが上記表示モニタ上に設置されたことを検知した際は上記パネル操作検出回路の出力に応じて該選択された画像データを加工する、
ことを特徴とする撮影装置の動作制御方法。
【請求項９】
タッチパネルの操作状態を検出するパネル操作検出回路と操作スイッチと表示モニタとを備えた撮影装置のコンピュータに実行されるプログラムであって、
上記タッチパネルが上記表示モニタ上から退避したことを検知した際は上記操作スイッチの状態に応じて撮影動作を実行し、上記タッチパネルが上記表示モニタ上に設置されたことを検知した際は上記パネル操作検出回路の出力に応じて上記撮影動作の条件を設定する機能、
を実現させるためのプログラム。
【請求項１０】
タッチパネルの操作状態を検出するパネル操作検出回路と操作スイッチと表示モニタと記録部とを備えた撮影装置のコンピュータに実行されるプログラムであって、
上記タッチパネルが上記表示モニタ上から退避したことを検知した際は上記操作スイッチの状態に応じて上記記録部に記録された画像データを選択して上記表示モニタへ表示し、上記タッチパネルが上記表示モニタ上に設置されたことを検知した際は上記パネル操作検出回路の出力に応じて該選択された画像データを加工する機能、
を実現させるためのプログラム。
【発明の詳細な説明】
【技術分野】
【０００１】
本発明は、タッチパネルと操作ボタンによる動作指示が出来る撮影装置に関し、更にはタッチパネルが表示モニタ上に設置した状態とモニタ上から退避した状態とに設定可能な撮影装置に関する。
【背景技術】
【０００２】
特許文献１に記載のデジタルカメラは、液晶モニタにタッチパネルが配置され、液晶モニタに表示された被写体上を押圧することで、この被写体にピントを合わせて撮影動作を行うものである。
【０００３】
特許文献２に記載のデジタルカメラは、撮影条件（露出モード、画像サイズ、画像圧縮率など）を、液晶モニタに表示されたメニュー画面を見ながら設定できるものであり、カメラに設けられた操作ボタンによって撮影条件の設定が行われる。
【０００４】
特許文献３に記載のデジタルカメラは、撮影した画像データに対して加工処理ができるものであり、カメラの繰作ボタンを操作して予め記憶されているイメージデータやテキストデータと撮影した画像データとを合成できるようになっている。
【特許文献１】特開平１１−３５５６１７号公報
【特許文献２】特開２００４−４５４９４号公報
【特許文献３】特開２０００−１９６９３５号公報
【発明の開示】
【発明が解決しようとする課題】
【０００５】
カメラの撮影動作は従来レリーズボタンを操作することで実行されている。従って、特許文献１の如くボタン以外の操作部材によって撮影動作を行うことに違和感を覚えるユーザも多い。また、液晶モニタ上のタッチパネルを押圧するとパネルが汚れて視認性が落ちる。また不用意にモニタを触ってしまうと意図せずに撮影動作が実行されてユーザが驚く虞もある。
【０００６】
デジタルカメラは、フィルムカメラに比べて設定可能な撮影条件が多く、設定パラメータを選択しパラメータを変更するまでにボタンを何回も操作しなければならない。従って、特許文献２の如く撮影条件の設定項目が多いとボタンの操作は非常に煩雑なものとなる。
【０００７】
パーソナルコンピュータで画像データの加工を行う際には、ポインティングデバイスが使用され、キーボードのみで加工に必要な操作がなされることはない。従って、特許文献３の如くカメラにある操作ボタンのみで画像の加工に必要な操作を行うことは困難を伴う。
【０００８】
本発明は、上記実情に鑑み、従来の操作ボタンによるカメラの操作方法を維持しながら、操作ボタンのみでは指示が困難な動作や処理を容易に実行できる撮影装置の提供を目的とする。
【課題を解決するための手段】
【０００９】
上記目的を達成するため、本発明の第１の態様に係る撮影装置は、撮影レンズと、上記撮影レンズの形成した物体像を電気信号に変換する変換回路と、上記変換回路の出力から画像データを生成する生成回路と、表示モニタと、上記表示モニタ上から退避した第１状態と上記表示モニタ上に設置された第２状態とに設定可能なタッチパネルと、上記タッチパネルの操作状態を検出するパネル操作検出回路と、操作スイッチと、上記タッチパネルが第１状態に在ることを検知した際は上記操作スイッチの状態に応じて上記変換回路と上記生成回路を制御して撮影動作を実行し、上記タッチパネルが第２状態に在ることを検知した際は上記パネル操作検出回路の出力に応じて上記撮影動作の条件を設定する制御回路と、を有することを特徴とする。
【００１０】
また、本発明の第２の態様に係る撮影装置は、撮影レンズと、上記撮影レンズの形成した物体像を電気信号に変換する変換回路と、上記変換回路の出力から画像データを生成する生成回路と、表示モニタと、タッチパネルの操作状態を検出するパネル操作検出回路と、操作スイッチと、上記タッチパネルが上記表示モニタ上から退避した第１状態に在ることを検知した際は上記操作スイッチの状態に応じて上記変換回路と上記生成回路を制御して撮影動作を実行し、上記タッチパネルが上記表示モニタ上に設置された第２状態に在ることを検知した際は上記パネル操作検出回路の出力に応じて上記撮影動作の条件を設定する制御回路と、を有することを特徴とする。
【００１１】
また、本発明の第３の態様に係る撮影装置は、上記第１又は第２の態様において、上記制御回路は、更に、上記タッチパネルが第１状態に在るときは上記生成回路の出力する画像データを上記表示モニタへ表示するライブビュー動作を実行し、上記タッチパネルが第２状態に在るときは上記表示モニタへ撮影動作に関する条件を設定するための設定メニュー画面の表示を行う、ことを特徴とする。
【００１２】
また、本発明の第４の態様に係る撮影装置は、撮影レンズと、上記撮影レンズの形成した物体像を電気信号に変換する変換回路と、上記変換回路の出力から画像データを生成する生成回路と、上記画像データを記録する記録部と、表示モニタと、上記表示モニタ上から退避した第１状態と上記表示モニタ上に設置された第２状態とに設定可能なタッチパネルと、上記タッチパネルの操作状態を検出するパネル操作検出回路と、操作スイッチと、上記タッチパネルが第１状態に在ることを検知した際は上記操作スイッチの状態に応じて上記記録部に記録された画像データを選択して上記表示モニタへ表示し、上記タッチパネルが第２状態に在ることを検知した際は上記パネル操作検出回路の出力に応じて該選択された画像データを加工する制御回路と、を有することを特徴とする。
【００１３】
また、本発明の第５の態様に係る撮影装置は、撮影レンズと、上記撮影レンズの形成した物体像を電気信号に変換する変換回路と、上記変換回路の出力から画像データを生成する生成回路と、上記画像データを記録する記録部と、表示モニタと、タッチパネルの操作状態を検出するパネル操作検出回路と、操作スイッチと、上記タッチパネルが上記表示モニタ上から退避した第１状態に在ることを検知した際は上記操作スイッチの状態に応じて上記記録部に記録された画像データを選択して上記表示モニタへ表示し、上記タッチパネルが上記表示モニタ上に設置された第２状態に在ることを検知した際は上記パネル操作検出回路の出力に応じて該選択された画像データを加工する制御回路と、を有することを特徴とする。
【００１４】
また、本発明の第６の態様に係る撮影装置は、上記第４又は第５の態様において、上記制御回路は、更に、上記タッチパネルが第２状態に在るときは、上記表示モニタに、選択された画像データと画像の加工を指示するためのアイコンとを表示する、ことを特徴とする。
【００１５】
また、本発明は、上記装置に限らず、方法及びプログラムとして構成することも可能である。
【発明の効果】
【００１６】
本発明によれば、操作ボタンによる指示方法を踏襲することで従来のカメラ操作になれたユーザに違和感を与えない。また、撮影動作の条件設定や画像加工の処理等ではタッチパネルで指示できるので操作性が向上する。更に、タッチパネルが表示モニタ上に設置されているか否か応じて操作ボタンによる指示とタッチパネルによる指示が切り替わるので操作方法が分りやすい。
【発明を実施するための最良の形態】
【００１７】
以下、本発明の実施の形態を図面を参照しながら説明する。
図１(A),(B) は、本発明の一実施例に係る撮影装置であるデジタルカメラの概観図であって、同図(A) はタッチパネルが液晶モニタ上にない第１状態のときの概観図、同図(B) はタッチパネルが液晶モニタ上に配置された第２状態のときの概観図である。
【００１８】
同図(A),(B) に示したように、デジタルカメラ１は、本体上面に、撮影指示を行うためのレリーズボタン２とヒンジ部３ａとを備えている。ヒンジ部３ａはヒンジ部３ｂとの間でヒンジ構造を成し、ヒンジ部３ｂは更にタッチパネル４との間でもヒンジ構造を成している。これにより、ユーザはタッチパネル４を本体背面の液晶モニタ１０上にない位置（例えば同図(A) の位置）や、液晶モニタ１０上に配置した位置（同図(B) の位置）へ移動させることが可能になっている。尚、タッチパネル４は、同図(B) に示した位置に配置されているときでもユーザが液晶モニタ１０の表示画面を見ることができるように、少なくとも液晶モニタ１０の表示画面に対応する部分が透明なスクリーン状に構成されている。
【００１９】
また、デジタルカメラ１は、本体前面に撮影レンズを含む鏡枠５を備え、本体右側面には、静止画・動画を撮影可能なＲＥＣモードと撮影した静止画・動画を再生可能なＰＬＡＹモードとの切り替え指示を行うためのモード変更スイッチ６と、電源スイッチ７とを備えている。
【００２０】
また、本体背面には、ズームボタン８と、ＰＬＡＹモードでの再生駒番号の変更指示等を行うための十字操作ボタン９と、液晶モニタ１０と、その液晶モニタ１０上にタッチパネル４が配置されているか否かを検出するためのタッチパネル位置検出センサ１１とを備えている。尚、同図(B) において液晶モニタ１０とタッチパネル位置検出センサ１１は点線にて示している。
【００２１】
図２は、デジタルカメラ１の主要構成を示すブロック図である。
同図において、デジタルカメラ１全体の制御は、システムコントローラ２１が行う。
被写体像（物体像）は、撮影レンズ２２を通過することでＣＣＤ２３上に結像され、ＣＣＤ２３にて光電変換される。ＣＣＤインタフェース回路２４は、所望のタイミングで光電変換された画像データを取り出すことができるよう、ＣＣＤ２３を制御し、システムコントローラ２１へ画像データを転送する。すなわち、ＣＣＤインタフェース回路２４は、ＣＣＤ２３の出力から画像データを生成し、システムコントローラ２１へ転送する。
【００２２】
システムコントローラ２１へ転送された画像データは、液晶モニタ１０に表示すべく画像処理が施された後、液晶モニタ駆動回路２５を介して液晶モニタ１０に転送される。液晶モニタ１０は、撮影前に被写体を確認するために利用されるライブビュー画像、撮影した画像、及び各種パラメータを設定する画面などを表示する。尚、ライブビュー画像とは、ＣＣＤインタフェース回路２４から転送された画像データを液晶モニタ１０に表示させたときの画像のことをいう。
【００２３】
システムコントローラ２１は、その動作プログラムを格納する記憶領域としてＦｌａｓｈＲＯＭ２６にアクセスする。すなわち、システムコントローラ２１は、ＦｌａｓｈＲＯＭ２６に格納されている動作プログラムを読み出し実行することによって、当該デジタルカメラ１の全体動作を制御する。またＦｌａｓｈＲＯＭ２６の一部には、記録メディア２８が装填されていないときにも画像データを記録できるように画像データ領域が存在する。また、システムコントローラ２１は、画像データなどの一時記憶領域および作業用記憶領域としてＳＤＲＡＭ２７にアクセスする。また、静止画・動画撮影時は、最終的に記録メディア（メディアカード）２８にアクセスし、画像データを保存する。尚、記録メディア２８が装填されていないときは、上記ＦｌａｓｈＲＯＭ２６の所定領域へ画像データを保存する。すなわち、当該デジタルカメラは、画像データの記録部として２つの記録手段を備えていることになる。
【００２４】
カメラ操作ＳＷ（スイッチ）２９は、レリーズボタン２、モード変更スイッチ６、電源スイッチ７、ズームボタン８、十字操作ボタン９等を含み、各種のスイッチやボタン操作に応じた指示をシステムコントローラ２１に通知する。尚、レリーズボタン２は、撮影準備開始指示を行うための1stレリーズスイッチと、撮影開始指示を行うための2ndレリーズスイッチとを兼ねている。
【００２５】
タッチパネル検出回路３０は、タッチパネル４のパネル面にタッチペンや指などが接触すると、その接触点の座標位置を検出し、システムコントローラ２１に転送する。すなわち、タッチパネル検出回路３０は、タッチパネル４の操作状態を検出する。尚、タッチパネル４上の座標位置と液晶モニタ１０の表示画面上の座標位置は対応付けられている。
【００２６】
タッチパネル位置検出センサ１１は、前述のようにタッチパネル４が液晶モニタ１０を覆うような位置（図１(B) に示した位置）に配置されているか否かを検出し、システムコントローラ２１へ転送する。システムコントローラ２１は、このタッチパネル位置検出センサ１１からの検出信号に応じて、タッチパネル検出回路３０からの検出信号の有効又は無効を決定する。これにより、タッチパネル４が液晶モニタ１０上に配置されているときにのみ、タッチパネル４を有効とすることが可能になっている。
【００２７】
次に、デジタルカメラ１の動作について説明する。
まず、静止画・動画を撮影可能なＲＥＣモード時の動作を、図３及び図４(A),(B) を用いて説明する。図３は、ＲＥＣモード時の動作を示すフローチャート、図４(A),(B) は、その動作中に液晶モニタ１０に表示される画面を示す図である。
【００２８】
本動作は、モード変更スイッチ６の操作によりＲＥＣモードへの切り替え指示が行われると開始するものであり、図３に示したフローに従って行われる。
同図に示したように、本動作が開始すると、まず、液晶モニタ１０上にタッチパネル４が配置されているか否かをタッチパネル位置検出センサ１１が検出し（ステップ（以下単に「Ｓ」という）１）、続いて、その検出結果から、液晶モニタ１０上にタッチパネル４が配置されているか否かを判定する（Ｓ２）。
【００２９】
Ｓ２がＹｅｓの場合、続いて、この時の液晶モニタ１０の表示がライブビュー画像の表示中であるならば、その表示をメニュー画面の表示に変更する（Ｓ３）。
図４(A) は、この時に表示されたメニュー画面を示した図である。但し、同図(A) において、太点線で囲んだ領域は、液晶モニタ１０上に配置されているタッチパネル４のパネル面上の領域であって、タッチパネル４によって同図(A) のメニュー画面に対して選択等の指示が可能な領域を示している。例えば、ユーザが、このメニュー画面中のタブ部３１（３１ａ，３１ｂ，３１ｃ）に対応するタッチパネル４上の領域をタッチペンや指などでタッチすることにより、対応するメニュー画面（静止画撮影メニュー画面，動画撮影メニュー画面，再生メニュー画面）を表示させることが可能になっている。尚、同図(A) では、メニュー画面として静止画撮影メニュー画面が表示されている。
【００３０】
また、このメニュー画面では、各種のパラメータ設定が可能になっている。同図(A) に示した静止画撮影メニュー画面では、静止画撮影時の撮影条件のパラメータ（画質，サイズ，ホワイトバランス，ＩＳＯ感度）を設定することが可能である。例えば、ユーザが、このメニュー画面中の画質のパラメータ部３２に対応するタッチパネル４上の領域をタッチすると、同図(B) に示したように、ＳＨＱ，ＨＱ，ＳＱといった選択可能なパラメータ候補が表示される。尚、ハイライト表示されているパラメータ候補であるＨＱは現在の設定値を表している。ここで、表示されている選択可能なパラメータ候補の中から所望のパラメータ候補に対応するタッチパネル４上の領域をタッチすることにより、所望の画質のパラメータを設定することができる。このようにして他のパラメータについても同様に所望のパラメータを設定することができる。
【００３１】
また、動画撮影メニュー画面を表示させたときには、画質，フレームレート，記録フォーマット等といった動画撮影時の撮影条件のパラメータを同様にして設定することができる。また、再生メニュー画面を表示させたときには、再生形式（１駒再生，インデックス再生，スライドショーなど）等といった再生時の再生条件のパラメータを同様にして設定することができる。
【００３２】
このようなメニュー画面における動作は、図３のＳ３に続くＳ４乃至１０の処理に従って行われる。すなわち、Ｓ３が終了すると、続いて、タッチパネル検出回路３０は、タッチペンや指などでタッチされたタッチパネル４のパネル面上の接触点（タッチ位置）の座標位置を検出する（Ｓ４）。続いて、Ｓ４での検出結果から、メニュー画面中のタブ部（ＴＡＢ）３１に対応するタッチパネル４上の領域がタッチされたか否かを判定する（Ｓ５）。
【００３３】
Ｓ５がＹｅｓの場合には、液晶モニタ１０に表示されているメニュー画面を、タッチされたタッチパネル４上の領域に対応するメニュー画面に切り替え（Ｓ６）、Ｓ１へ戻る。例えば、タブ部３１ｂに対応するタッチパネル４上の領域がタッチされていたときには動画撮影メニュー画面が表示され、又はタブ部３１ｃに対応するタッチパネル４上の領域がタッチされていたときには再生メニュー画面が表示される。
【００３４】
一方、Ｓ５がＮｏの場合には、この時に液晶モニタ１０に表示されているメニュー画面がいずれであるかを判定する（Ｓ７）。
Ｓ７の判定結果が静止画撮影メニュー画面である場合には、Ｓ８へ進み、Ｓ４での検出結果から、静止画撮影メニュー画面中の撮影条件のパラメータ部（例えば図４(A) の画質のパラメータ３２等）に対応するタッチパネル４上の領域がタッチされていた場合には、前述のように、対応するパラメータ候補を表示し、そこで更に何れかのパラメータ候補に対応するタッチパネル４上の領域がタッチされると、そのパラメータ候補へパラメータを変更して、Ｓ１へ戻る。
【００３５】
或いは、Ｓ７の判定結果が動画撮影メニュー画面である場合には、Ｓ９へ進み、Ｓ４での検出結果から、動画撮影メニュー画面中の撮影条件のパラメータ部（不図示）に対応するタッチパネル４上の領域がタッチされていた場合には、同様に、対応するパラメータ候補を表示し、そこで更に何れかのパラメータ候補に対応するタッチパネル４上の領域がタッチされると、そのパラメータ候補へパラメータを変更して、Ｓ１へ戻る。
【００３６】
若しくは、Ｓ７の判定結果が再生メニュー画面である場合には、Ｓ１０へ進み、Ｓ４での検出結果から、再生メニュー画面中の再生条件のパラメータ部（不図示）に対応するタッチパネル４上の領域がタッチされていた場合には、同様に、対応するパラメータ候補を表示し、そこで更に何れかのパラメータ候補に対応するタッチパネル４上の領域がタッチされると、そのパラメータ候補へパラメータを変更して、Ｓ１へ戻る。
【００３７】
尚、Ｓ８乃至１０の各々では、Ｓ４での検出結果から、メニュー画面中のパラメータ部に対応するタッチパネル４上の領域がタッチされていなかった場合には、何もせずに、そのままＳ１へ戻る。
【００３８】
一方、Ｓ２がＮｏの場合、続いて、この時の液晶モニタ１０の表示がメニュー画面の表示中であるならば、その表示をライブビュー画像の表示に変更する（Ｓ１１）。例えば、メニュー画面表示中にユーザがタッチパネル４を液晶モニタ１０上から退避させた場合等には、Ｓ２がＮｏとなって、ライブビュー画像の表示に変更される。
【００３９】
そして、Ｓ１１の後は、カメラ操作ＳＷ２９の状態に応じて静止画又は動画の撮影動作が行われることになるが、本フローでは、一例として静止画の撮影動作が行われる場合のみを説明する。
【００４０】
Ｓ１１の後、続いて、カメラ操作ＳＷ２９の状態を検出して（Ｓ１２）、1stレリーズスイッチの状態がｏｎかｏｆｆかを判定し（Ｓ１３）、ｏｆｆの場合にはＳ１へ戻り、ｏｎの場合には、続いて、焦点調整や測光等の撮影準備動作を行う（Ｓ１４）。
【００４１】
Ｓ１４の後、続いて、2ndレリーズスイッチの状態がｏｎかｏｆｆかを判定し（Ｓ１５）、ｏｆｆの場合にはＳ１へ戻る。
一方、Ｓ１５の判定結果がｏｎの場合には、続いて、ライブビュー表示（ライブビュー画像の表示）を停止し（Ｓ１６）、続いて、測光条件に基づいて静止画像データをＣＣＤ２３から取り込み（Ｓ１７）、続いて、その静止画像データを、設定された条件で圧縮して記録メディア２８へ記録する（Ｓ１８）。そして、ライブビュー表示を再開し（Ｓ１９）、処理がＳ１へ戻る。既に説明したように、画像データの記録部として２つの記録手段を有している。フローチャートで説明される動作は、デジタルカメラに記録メディア２８が装填されていると仮定したものである。
【００４２】
このように、本フローによれば、ＲＥＣモード時にタッチパネル４が液晶モニタ１０上に配置されると、メニュー画面が表示され、撮影条件や再生条件等の各種設定が可能な状態となり、タッチパネル４が液晶モニタ１０上から退避させると、ライブビュー画像が表示され、撮影が可能な状態になる。
【００４３】
次に、撮影した静止画・動画を再生可能なＰＬＡＹモード時の動作を、図５及び図６(A),(B) を用いて説明する。図５は、ＰＬＡＹモード時の動作を示すフローチャート、図６(A),(B) は、その動作中に液晶モニタ１０に表示される画面の一例を示す図である。
【００４４】
本動作は、モード変更スイッチ６の操作によりＰＬＡＹモードへの切り替え指示が行われると開始するものであり、図５に示したフローに従って行われる。
同図に示したように、本動作が開始すると、まず、再生する画像の駒番号（以下「再生駒番号」という）の初期値を設定する（Ｓ２１）。尚、本実施例では、最後に撮影された画像（静止画像又は動画像）の駒番号を、その初期値とする。
【００４５】
続いて、再生駒番号の画像データを記録メディア２８から読み出し（Ｓ２２）、読み出した画像データを液晶モニタ１０に表示する（Ｓ２３）。これにより、例えば図６(A) に示したように、再生駒番号の画像が液晶モニタ１０の表示画面いっぱいに表示される。
【００４６】
続いて、液晶モニタ１０上にタッチパネル４が配置されているか否かをタッチパネル位置検出センサ１１が検出し（Ｓ２４）、続いて、その検出結果から、液晶モニタ１０上にタッチパネル４が配置されているか否かを判定する（Ｓ２５）。
【００４７】
Ｓ２５がＮｏの場合、続いて、この時の液晶モニタ１０の表示が編集画面の表示である場合には、その表示を再生画面の表示に変更する（Ｓ２６）。尚、このようにして再生画面の表示に変更された場合には、この時の再生駒番号の画像データが記録メディア２８から読み出され、その画像が液晶モニタ１０に表示される。例えば前述の図６(A) に示したように、その画像が液晶モニタ１０の表示画面いっぱいに表示される。
【００４８】
Ｓ２６の後、続いて、カメラ操作ＳＷ２９の状態を検出し（Ｓ２７）、再生駒番号変更操作が行われたか否かを判定する（Ｓ２８）。尚、再生駒番号変更操作とは、十字操作ボタン９の上ボタン及び下ボタンの操作のことをいう。Ｓ２８がＮｏの場合にはＳ２２へ戻り、Ｙｅｓの場合には、続いて、その十字操作ボタン９の操作に応じて、再生駒番号をＵＰ又はＤＯＷＮする（Ｓ２９）。尚、本実施例では、十字操作ボタン９の上ボタンが押下されると再生駒番号をインクリメント（＋１）し、十字操作ボタン９の下ボタンが押下されると再生駒番号をデクリメント（−１）するようにしている。そして、Ｓ２９の後はＳ２２へ戻って、インクリメント或いはデクリメントされた再生駒番号の画像データの読み出しが行われる。
【００４９】
このように、ＰＬＡＹモードにおいてタッチパネル４が液晶モニタ１０上から退避しているときには、十字操作ボタン９の上又は下ボタンの押下に応じて、記録メディア２９から画像データを選択して液晶モニタ１０に表示することが可能になっている。
【００５０】
一方、Ｓ２５がＹｅｓの場合、続いて、この時の液晶モニタ１０の表示が再生画面の表示であるならば、その表示を編集画面の表示に変更する（Ｓ３０）。例えば、再生画面表示中にユーザがタッチパネル４を液晶モニタ１０上に配置した場合には、Ｓ２５がＹｅｓとなって、編集画面の表示に変更される。このようにして編集画面の表示に変更された場合、その編集画面には、この時の再生駒番号の画像と共に、画像編集用のツール，カラーパレット，及びボタンが表示される。
【００５１】
図６(B) は、その編集画面の一例を示す図である。同図(B) に示したように、編集画面には、この時の再生駒番号の画像４０と、その周りに、描画に使用するツールを選択するためのアイコン４１として消しゴムアイコン４１ａ及び鉛筆アイコン４１ｂと、描画色を選択するためのカラーパレット４２と、編集のやり直しや保存を行うためのボタン４３としてやり直しボタン４３ａ及び保存ボタン４３ｂとが表示される。尚、この編集画面では、選択されているアイコン４１（例えば鉛筆アイコン４１ｂ）と、カラーパレット４２中の選択されているカラーは、太線で囲まれて表示されるようになっている。また、同図(B) において、太点線で囲んだ領域は、液晶モニタ１０上に配置されているタッチパネル４のパネル面上の領域であって、タッチパネル４によって編集画面中の画像４０に対して編集可能な領域を示している。
【００５２】
このような編集画面により、例えば、ユーザが、この編集画面中の鉛筆アイコン４１ｂとカラーパレット４２中の所望のカラーとに対応するそれぞれのタッチパネル４上の領域をタッチペン４４でタッチした後、編集画面中の画像４０に対応するタッチパネル４上の領域をタッチペン４４でタッチさせながら滑らせることにより、編集画面中の画像４０に対し、所望のカラーのラインや文字等を描画することができる。また、ユーザは、編集画面中の消しゴムアイコン４１ａに対応するタッチパネル４上の領域をタッチペン４４でタッチした後、画像４０中に描画されているラインや文字等に対応するタッチパネル４上の領域をタッチペン４４でタッチさせながら滑らせることにより、その画像４０中に描画されているラインや文字等を消去することができる。また、ユーザは、編集画面中のやり直しボタン４３ａに対応するタッチパネル４上の領域をタッチすることにより、編集画面中の画像４０に対する編集を始めからやり直すことができる。また、ユーザは、編集画面中の保存ボタン４３ｂに対応するタッチパネル４上の領域をタッチすることにより、編集画面中の編集中の画像４０を保存することができる。
【００５３】
このような編集画面における動作は、図５のＳ３０に続くＳ３１乃至３７の処理に従って行われる。すなわち、Ｓ３０が終了すると、続いて、タッチペンや指などでタッチされたタッチパネル４のパネル面上の接触点（タッチ位置）の座標位置をタッチパネル検出回路３０が検出する（Ｓ３１）。続いて、Ｓ３１での検出結果から、タッチパネル４上のタッチ位置（操作位置）を判定する（Ｓ３２）。
【００５４】
Ｓ３２の判定において、タッチパネル４上のタッチ位置が、編集画面中の画像４０に対応するタッチパネル４上の領域であった場合には、Ｓ３３へ進み、編集画面中で選択されているアイコン４１及びカラーパレット４２中で選択されているカラーに応じて、タッチパネル４上のタッチ位置に対応する画像４０中の位置に描画（選択されたカラーでの描画表示）を行うか、又は、そのタッチ位置に対応する画像４０中の位置に描画されているものの消去を行い、処理がＳ２４へ戻る。
【００５５】
或いは、Ｓ３２の判定において、タッチパネル４上のタッチ位置が、編集画面中のアイコン４１（４１ａ又は４１ｂ）に対応するタッチパネル４上の領域であった場合には、Ｓ３４へ進み、そのアイコン４１に対応するツールを、使用するツールとして選択し、処理がＳ２４へ戻る。
【００５６】
若しくは、Ｓ３２の判定において、タッチパネル４上のタッチ位置が、編集画面中のカラーパレット４２中のカラーに対応するタッチパネル４上の領域であった場合には、Ｓ３５へ進み、そのカラーを描画色として選択し、処理がＳ２４へ戻る。
【００５７】
或いは、Ｓ３２の判定において、タッチパネル４上のタッチ位置が、編集画面中のやり直しボタン４３ａに対応するタッチパネル４上の領域であった場合には、Ｓ３６へ進み、編集画面中の編集中の画像４０を破棄し、再度、記録メディア２８から編集前の画像４０を読み出して編集画面中に表示し、処理がＳ２４へ戻る。
【００５８】
若しくは、Ｓ３２の判定において、タッチパネル４上のタッチ位置が、編集画面中の保存ボタン４３ｂに対応するタッチパネル４上の領域であった場合には、Ｓ３７へ進み、編集画面中の編集中の画像４０を記録メディア２８に保存し、処理がＳ２４へ戻る。
【００５９】
或いは、Ｓ３２の判定において、タッチパネル４上のタッチ位置が、これら以外の場合には、何もせずに処理がＳ２４へ戻る。
このように、本フローによれば、ＰＬＡＹモード時にタッチパネル４が液晶モニタ１０上から退避されると、再生画面が表示され、記録メディア２８に記録されている画像の再生が可能な状態となり、タッチパネル４が液晶モニタ１０上に配置されると、編集画面が表示され、画像の編集が可能な状態となる。尚、画像の編集中にタッチパネル４が液晶モニタ４上から退避されると、編集中の画像は保存されずに、処理がＳ２６へ進む。
【００６０】
以上、本実施例によれば、操作ボタンによる指示方法を踏襲することで、従来のカメラ操作になれたユーザに違和感を与えないようにすることができる。また、撮影動作の条件設定や画像編集では、タッチパネル４によって指示できるので操作性が向上する。更に、タッチパネル４が液晶モニタ１０上に配置されているか否か応じてカメラ操作ＳＷ２９による指示とタッチパネル４による指示が切り替わるので操作方法が分かり易くなる。
【００６１】
尚、本実施例において、タッチパネル４は、ヒンジ部３ｂ，３ａを介してデジタルカメラ１に常に取り付けられた構成であったが、タッチパネル４をデジタルカメラ１から着脱自在に構成することも可能である。
【００６２】
図７(A),(B) は、タッチパネルをデジタルカメラから着脱自在に構成した例を示す図である。尚、同図(A),(B) において、図１(A),(B) に示した要素と同一の要素は同一の符号を付し、ここではその説明を省略する。
【００６３】
図７(A),(B) に示したデジタルカメラ１´は、タッチパネル４´（点線で囲んだ部分）を有するタッチパネルユニット５１をカメラ本体背面から着脱自在に構成されている。
デジタルカメラ１´の本体背面にタッチパネルユニット５１が装着されたときには、タッチパネルユニット５１の左右側面に備えられている凸部５１ａ，５１ｂのそれぞれの一部がデジタルカメラ１の本体前面の凹部５２ａ，５２ｂにそれぞれ入り込むことによりタッチパネルユニット５１がデジタルカメラ１´に固定され、タッチパネル４´が液晶モニタ１０上に配置される。また、このときには、同図(A) に示した矢印Ａ方向から見える凸部５１ｂに設けられている電気接点５３とデジタルカメラ１´の左側面に設けられている電気接点５４とが接続され、デジタルカメラ１´とタッチパネル４´との間での信号の送受が可能になる。また、デジタルカメラ１´は、電気接点５３と電気接点５４との接触の有無により、タッチパネル４´が液晶モニタ１０上に配置されているか否かを検出することが可能になっている。
【００６４】
また、タッチパネルユニット５１は開口部５５を備えており、デジタルカメラ１´の本体背面に装着されたときでも本体背面のボタン操作が可能になるようになっている。
尚、このデジタルカメラ１´では、モード変更スイッチ６と電源スイッチ７が本体上面に備えられ、鏡枠２が本体前面の略中央に配置されている。
【００６５】
このような構成により、タッチパネルをデジタルカメラから着脱自在に構成することができ、また、この場合であっても、タッチパネルが液晶モニタ上に配置されているか否かに応じて行われる上述の動作を実行することができる。
【００６６】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【００６７】
【図１】(A),(B) は、本発明の一実施例に係る撮影装置であるデジタルカメラの概観図である。
【図２】デジタルカメラの主要構成を示すブロック図である。
【図３】ＲＥＣモード時の動作を示すフローチャートである。
【図４】(A),(B) は、ＲＥＣモード時の動作中に液晶モニタに表示される画面を示す図である。
【図５】ＰＬＡＹモード時の動作を示すフローチャートである。
【図６】(A),(B) は、ＰＬＡＹモード時の動作中に液晶モニタに表示される画面の一例を示す図である。
【図７】(A),(B) は、タッチパネルをデジタルカメラから着脱自在に構成した例を示す図である。
【符号の説明】
【００６８】
１、１´  デジタルカメラ
２      レリーズボタン
３ａ、３ｂ  ヒンジ部
４、４´  タッチパネル
５      鏡枠
６      モード変更スイッチ
７      電源スイッチ
８      ズームボタン
９      十字操作ボタン
１０    液晶モニタ
１１    タッチパネル位置検出センサ
２１    システムコントローラ
２２    撮影レンズ
２３    ＣＣＤ
２４    ＣＣＤインタフェース回路
２５    液晶モニタ駆動回路
２６    ＦｌａｓｈＲＯＭ
２７    ＳＤＲＡＭ
２８    記録メディア
２９    カメラ操作ＳＷ
３０    タッチパネル検出回路
３１    タブ部
３２    パラメータ部
４０    画像
４１    アイコン
４２    カラーパレット
４３    ボタン
４４    タッチペン
５１    タッチパネルユニット
５１ａ、５１ｂ  凸部
５２ａ、５２ｂ  凹部
５３、５４  電気接点
５５    開口部
【図１】
2007028229.tif 000003
【図２】
2007028229.tif 000004
【図３】
2007028229.tif 000005
【図４】
2007028229.tif 000006
【図５】
2007028229.tif 000007
【図７】
2007028229.tif 000008
【図６】
2007028229.tif 000009